(57)【特許請求の範囲】
【請求項１】
容器本体の側面上方と下方とに、箸箱を挿通して保持する保持部材を設け、少なくとも一方の保持部材に、前記箸箱の挿入に伴って、弾性変形しながら前記箸箱に形成した係合する弾性片を設けたランチジャーの箸箱取付構造において、前記弾性片の近傍に、容器外周側に突出して上縁が前記弾性片よりも上方かまたは同じ位置に配設される保護部材を設けたものであって、
前記保護部材の貫通孔に挿入された箸箱の下端が、前記保護部材の上縁に当接し、次いで該保護部材上縁から前記弾性片の傾斜面に至り、該弾性片を弾性変形させながら貫通孔下方に移動することを特徴とするランチジャーの箸箱取り付け構造。
【請求項２】
前記保護部材は、前記弾性片の少なくとも一方の側部に設けられていることを特徴とする請求項１記載のランチジャーの箸箱取り付け構造。
【請求項３】
容器本体の側面上方と下方とに、箸箱を挿通して保持する保持部材を設け、少なくとも一方の保持部材に、前記箸箱の挿入に伴って、弾性変形しながら前記箸箱に形成した係合部に係合する弾性片を設けたランチジャーの箸箱取付構造において、前記弾性片の近傍に、容器外周側に突出して上縁が前記弾性片よりも上方かまたは同じ位置に配設される保護部材を設けたものであって、
前記保護部材の貫通孔に挿入された箸箱の下端が、前記保護部材の上縁に当接し、次いで該保護部材上縁から前記弾性片の傾斜面に至り、該弾性片を弾性変形させながら貫通孔下方に移動することを特徴とするランチジャーの箸箱取り付け構造。
【発明の詳細な説明】
【０００１】
【発明の属する技術分野】
本発明は、ランチジャーに着脱可能に装着する箸箱の取り付け構造に関する。
【０００２】
【従来の技術】
従来、ランチジャーでは箸又はスプーン等を箸箱に収容し、この箸箱を、御飯や味噌汁等を入れた食品容器を収容した容器本体の側面に着脱可能に装着するものがある。
【０００３】
箸箱の取り付け構造としては、容器本体上方に設けた肩部材と、容器本体下方に設けた底部材とに、箸箱を挿通して保持する保持部材を設け、少なくとも一方の保持部材に、前記箸箱の挿入に伴って、弾性変形しながら前記箸箱に形成した係合部に係合する弾性片を設けたものがある。箸箱は、保持部材に挿入することによって、弾性片が変形しながら箸箱の係合部に係合して容器本体に装着され、また、保持部材から引き上げることによって、弾性片が変形して箸箱の係合部から外れて容器本体から取り外される。
【０００４】
【発明が解決しようとする課題】
しかし、上述のものでは、箸箱を容器本体に装着するときに、箸箱の先端がまず弾性片の先端に当接後、箸箱が弾性片の先端に設けられた傾斜面に沿ってさらに下方向に挿入されて、弾性片と箸箱とが係合し、弾性片の先端には箸箱と係合するたびに、下方向の力が加わっていた。また、箸箱の先端が弾性片の先端に当接する際には、大きな力が弾性片の先端に係っていた。一方、弾性片は箸箱の係合部と係合するときや、係合を解除するときに、一定量撓む必要があるため、剛性を高くすることができず、弾性片が箸箱の当接によって損傷しやすく、耐久性が悪かった。
【０００５】
そこで本発明は、簡単な構造で、弾性片が箸箱の当接によって損傷することを防止し、耐久性の向上を図ることのできるランチジャーの箸箱取り付け構造を提供することを目的としている。
【０００６】
【課題を解決するための手段】
上記の目的を達成するため本発明は、容器本体の側面上方と下方とに、箸箱を挿通して保持する保持部材を設け、少なくとも一方の保持部材に、前記箸箱の挿入に伴って、弾性変形しながら前記箸箱に形成した係合する弾性片を設けたランチジャーの箸箱取付構造において、前記弾性片の近傍に、容器外周側に突出して上縁が前記弾性片よりも上方かまたは同じ位置に配設される保護部材を設けたものであって、
前記保護部材の貫通孔に挿入された箸箱の下端が、前記保護部材の上縁に当接し、次いで該保護部材上縁から前記弾性片の傾斜面に至り、該弾性片を弾性変形させながら貫通孔下方に移動することを特徴としている。前記保護部材は、前記弾性片の少なくとも一方の側部に設けられることが望ましい。
【０００７】
また、容器本体の側面上方と下方とに、箸箱を挿通して保持する保持部材を設け、少なくとも一方の保持部材に、前記箸箱の挿入に伴って、弾性変形しながら前記箸箱に形成した係合部に係合する弾性片を設けたランチジャーの箸箱取付構造において、前記弾性片の近傍に、容器外周側に突出して上縁が前記弾性片よりも上方かまたは同じ位置に配設される保護部材を設けたものであって、
前記保護部材の貫通孔に挿入された箸箱の下端が、前記保護部材の上縁に当接し、次いで該保護部材上縁から前記弾性片の傾斜面に至り、該弾性片を弾性変形させながら貫通孔下方に移動することを特徴としている。
【０００８】
【発明の実施の形態】
以下、本発明の各形態例を図面に基づいて詳しく説明する。
【０００９】
図１乃至図３は本発明の第１形態例を示すもので、図３に示されるように、ランチジャー１は、容器本体２と、この容器本体２の上方開口部を覆う蓋体３と、容器本体２に収容される複数の食品容器（図示せず）と、箸やスプーンが収容される箸箱４とを備えている。
【００１０】
容器本体２は有底円筒状の真空断熱構造の容器で、上方に樹脂製の肩部材２ａが、また、底部に同じく樹脂製の底部材２ｂが、容器本体２の外周面を覆ってそれぞれ取り付けられ、肩部材２ａと底部材２ｂには、箸箱４の保持部材５，６が対向して突設され、また、肩部材２ａには、蓋体３の係止具２ｃが設けられている。
【００１１】
肩部材２ａに設けられた保持部材５には、箸箱４を上下に挿通させる矩形の貫通孔が穿設され、底部材２ｂに設けられた保持部材６には、箸箱４の底部を収容する矩形の挿通孔６ａと、底部６ｂと、箸箱４を抜け止めする弾性片７と、該弾性片７の両側に設けられる保護部材８，８とを備えている。
【００１２】
弾性片７は、図１に示されるように、底部材２ｂの外周面より容器外周側に水平方向に突出する突出片７ａと、該突出片７ａの先端から底部材２ｂの側面に沿って上方に延設された弾性部７ｂと、該弾性部７ｂの先端に形成され、弾性部７ｂより容器外周側に突出し、後述する箸箱４の係合部４ｄに係合する頭部７ｃとから形成され、弾性部７ｂは容器内周側に弾性変形することができる。頭部７ｃは、頂部から下方に向けて、容器外周側に広い、テーパー状に形成され、外面に傾斜面が形成される。
【００１３】
弾性片７の両側には、容器外周側に突出する保護部材８，８が設けられている。この保護部材８，８は、弾性片７の頭部７ｃより容器外周側に突出しない幅で、詳しくは、頭部７ｃが箸箱４の係合部４ｄに係合できる程度までは突出する幅に形成され、その上縁８ａが弾性片７よりも上方に位置するように形成されている。また、上縁８ａは、容器外周側に向けて、下方に傾斜して形成されている。
【００１４】
箸箱４は、箸やスプーンを収納する本体４ａに蓋４ｂを被せた箱状に形成され、全体の長さが容器本体２の高さよりもやや短く形成されると共に、保持部材５の貫通孔と、保持部６の挿通孔６ａとに挿入可能な大きさに形成される。本体４ａの裏面４ｃの上方及び下方には、箸箱端部側より中央に向けて暫時肉厚に形成された断面三角形の係合部４ｄ，４ｄが突設されている。
【００１５】
なお、上記蓋体３と食品容器とは、従来と同様な構成であるので、詳細な説明は省略する。
【００１６】
上述のような、箸箱取り付け構造を有するランチジャー１では、容器本体２に箸箱４を取り付ける場合、箸箱４の一端側を、肩部材２ａに形成した保持部材５の貫通孔に挿通させ、一端側を底部材２ｂの保持部材６の挿通孔６ａに挿入する。保持部材６に挿入された箸箱４は、図１に示されるように、端部４ｅが、保護部材８の上縁８ａに当接した後、この上縁８ａにガイドされながら、弾性片７の頭部７ｃの傾斜面に当接する。この状態から、箸箱４をさらに下方に押すと、箸箱４の係合部４ｄが弾性片７の頭部７ｃを押圧し、弾性部７ｂを容器内周側に弾性変形させながら下方に移動し、頭部７ｃが係合部４ｄを乗り越えて、係合部４ｄの上端４ｆと頭部７ｃの下端７ｄとが係合し、端部４ｅと保持部材６の底部６ｂとが当接する。
【００１７】
このとき、箸箱４はまず保護部材８に当たってから、弾性片７の頭部７ｃの傾斜面に当接するので、頭部７ｃに係る力を保護部材８に分散させることができ、弾性片７の損傷を防止できる。また、保護部材８の上縁８ａは、容器外周側に向けて、下方に傾斜して形成されているので、箸箱４の端部４ｅが保護部材８に当接した後スムーズに頭部７ｃの傾斜面に当接でき、頭部７ｃに無理な力が加わらない。さらに、箸箱４の裏面４ｃの上方と下方とに係合部４ｄ，４ｄが設けられているので、箸箱４の挿入方向を限定する必要がなく、どちらの端部から挿入しても、係合部４ｄと弾性片７の頭部７ｃとが係合する。
【００１８】
また、箸箱４を保持部材５，６から取り外す際には、箸箱４を持って上方に引き上げれば、弾性片７の頭部７ｃが係合部４ｄにより押圧されて弾性部７ｂを容器内周側に弾性変形し、係合部４ｄの上端４ｆと頭部７ｃの下端７ｄとの係合が解除されて、簡単に取り外すことができる。
【００１９】
尚、上述の第１形態例では、保護部材８の上縁８ａは、弾性片７の頭部７ｃよりも上方に位置しているが、上縁８ａと弾性片７の頭部７ｃとが同位置であっても、同様の効果が得られる。
【００２０】
図４は本発明の第２形態例を示すもので、本形態例の保護部材１０は、弾性片７の上方を覆い、容器外周側に突設され、箸箱４の非装着時に、弾性片７の頭部７ｃより、保護部材１０が容器外周側に突出しないように形成される。
【００２１】
これにより、第１形態例と同様、箸箱４はまず保護部材１０に当接してから、弾性片７の頭部７ｃの傾斜面に当たるので、弾性片７の損傷を防止できる。
【００２２】
尚、本発明は、上述の第１形態例のように、弾性片の両側に保護部材を設けなくても、どちらか一方の側部に設けたものでもよい。また、箸箱の裏面に設ける係合部は、上記形態例のように断面三角形の突状に形成するものに限らず、凹状に形成したものでもよく、頭部と係合できるものならどのような形状のものでもよい。さらに、肩部材に設けられる上方の保持部材に、箸箱を抜け止めする弾性片と、保護部材とを設けてもよい。
【００２３】
【発明の効果】
以上説明したように、本発明によれば、箸箱の挿入に伴って、弾性変形しながら箸箱に係合する弾性片の近傍に、保護部材を設け、箸箱が、前記保護部材に当接した後に、前記弾性片に係合するようにしたので、簡単な構造で、弾性片が損傷することを防止し、耐久性の向上を図ることができる。
【図面の簡単な説明】
【図１】  本発明の第１形態例を示すランチジャーの要部断面側面図
【図２】  同じくランチジャーの容器本体を示す平面図
【図３】  同じくランチジャーを示す側面図
【図４】  本発明の第２形態例を示す要部断面側面図
【符号の説明】
１…ランチジャー、２…容器本体、４…箸箱、４ｅ…端部、５，６…保持部材、７…弾性片、８，１０…保護部材、８ａ…上縁
【図１】
0004775752.tif 000002
【図２】
0004775752.tif 000003
【図３】
0004775752.tif 000004
【図４】
0004775752.tif 000005